(57)【要約】 【課題】  フォークリフトの出入りを無くして外気の流入及び冷気の流出を防ぎ、天井パイプ式の倉庫型冷蔵庫に特有のメンテナンスの煩わしさを排除して実使用に耐え得るようにし、電力消費の大幅な低減を可能とした、新規な倉庫型冷蔵庫を開発することを技術課題とした。【解決手段】  建屋２内にはフォークリフト室２５が設けられ、貨物の入出庫作業時を含めて常時フォークリフト５を建屋２内に位置させるとともに、貨物の搬入出部を多重扉構造としたことを特徴として成り、フォークリフト５の出入りによる外気の流入及び冷気の流出を引き起こさず、また貨物の搬入出時の外気の流入及び冷気の流出を最小限に抑えるため、冷凍負荷の増大による消費電力の増大を回避することができ、また冷却系への着霜量を抑えることができるためメンテナンス作業を簡素化することができる。【選択図】図１
2005187201.tif 000002
【特許請求の範囲】
【請求項１】
建屋内で貨物の冷蔵保管を行うとともに、フォークリフトによって貨物の入出庫、移動等を行う倉庫型冷蔵庫において、前記建屋内にはフォークリフト室が設けられ、貨物の入出庫作業時を含めて常時フォークリフトを建屋内に位置させるとともに、貨物の搬入出部を多重扉構造としたことを特徴とする倉庫型冷蔵庫。
【請求項２】
前記多重扉構造は、コンベア上に形成される中間室の前後にそれぞれ扉が具えられたものであることを特徴とする請求項１記載の倉庫型冷蔵庫。
【請求項３】
前記フォークリフト室には、空調設備及び充電設備を具えたことを特徴とする請求項１または２記載の倉庫型冷蔵庫。
【請求項４】
前記建屋内の冷却は、天井パイプによって行うものであることを特徴とする請求項１、２または３記載の倉庫型冷蔵庫。
【発明の詳細な説明】
【技術分野】
【０００１】
本発明は倉庫型の建屋内に貨物を冷蔵保管する冷蔵庫に関するものであり、特に電力消費を抑えるとともにメンテナンスを簡略化することのできる、新規な倉庫型冷蔵庫に係るものである。
【背景技術】
【０００２】
倉庫型冷蔵庫の冷却方式には、主なものとしてコイルファン式と天井パイプ式とがあり、まず前者のコイルファン式は、冷却ユニットで生成された冷気を天井付近までダクトで送り、ここから下部に配したラックに対して冷気を供給するものである。また後者の天井パイプ式は、天井付近に配したパイプ内に冷媒を通過させてパイプ周辺の空気を冷却し、ここから下部に配したラックに対して冷気を供給するものである。
これらの二方式を比較すると、コイルファン式では除霜を自動で行うことができるためメンテナンスが容易であるというメリットがある反面、消費電力が天井パイプ式の二倍近くかかってしまうといったデメリットがある。一方、天井パイプ式は、消費電力がコイルファン式の半分近くで済むというメリットがある反面、高所に位置するパイプに着いた霜の除去作業が危険を伴い且つ作業性が悪いものであるといったデメリットがある。
そして近年では消費電力よりも安全性やメンテナンス性が重視される傾向にあり、倉庫型冷蔵庫にあってはほとんどの施設においてコイルファン式が採用されているのが実情である。
【０００３】
ところで近時、世界的に地球温暖化防止対策が求められており、温暖化効果ガスの排出抑制がわが国にも課せられているため、特にエネルギー消費量の多い倉庫型冷蔵庫にあっても消費電力の低減が求められるようになってきた。
倉庫型冷蔵庫には種々のタイプのものがあるが、フォークリフトを用いて貨物を搬入出するタイプのものについては、フォークリフトの入出口が３×３ｍ程度と大きく、ここから庫内の冷気が逃げるとともに外気が進入してしまうため冷凍負荷が増大することから、特に消費電力が多いものである（例えば特許文献１参照）。またこのタイプの倉庫型冷蔵庫にあっては、外気の進入量が多く着霜量も多いため、上述したように除霜作業が容易なファンコイル式が採用される傾向にあり、消費電力の低減が困難であった。
【特許文献１】特開平６−１４４５０８号公報
【発明の開示】
【発明が解決しようとする課題】
【０００４】
本発明はこのような背景を認識して成されたものであり、フォークリフトの出入りを無くして外気の流入及び冷気の流出を防ぎ、天井パイプ式の倉庫型冷蔵庫に特有のメンテナンスの煩わしさを排除して実使用に耐え得るようにし、電力消費の大幅な低減を可能とした、新規な倉庫型冷蔵庫を開発することを技術課題としたものである。
【課題を解決するための手段】
【０００５】
すなわち請求項１記載の倉庫型冷蔵庫は、建屋内にラックを設けて貨物の冷蔵保管を行うとともに、フォークリフトによって貨物の入出庫、移動等を行う倉庫型冷蔵庫において、前記建屋内にはフォークリフト室が設けられ、貨物の入出庫作業時を含めて常時フォークリフトを建屋内に位置させるとともに、貨物の搬入出部を多重扉構造としたことを特徴として成るものである。
この発明によれば、フォークリフトの出入りによる外気の流入及び冷気の流出を引き起こさず、また貨物の搬入出時の外気の流入及び冷気の流出を最小限に抑えるため、冷凍負荷の増大による消費電力の増大を回避することができ、また冷却系への着霜量を抑えることができるためメンテナンス作業を簡素化することができる。
【０００６】
また請求項２記載の倉庫型冷蔵庫は、前記要件に加え、前記多重扉構造は、コンベア上に形成される中間室の前後にそれぞれ扉が具えられたものであることを特徴として成るものである。
この発明によれば、貨物の搬入出時の外気の進入及び冷気の流出を最小限に抑えて冷凍負荷の増大による消費電力の増大及び冷却系への着霜量を最小限に抑えることができる。
【０００７】
更にまた請求項３記載の倉庫型冷蔵庫は、前記要件に加え、前記フォークリフト室には、空調設備及び充電設備を具えたことを特徴として成るものである。
この発明によれば、フォークリフトを建屋外に出すことなく稼動可能な状態に保つことができる。
【０００８】
更にまた請求項４記載の倉庫型冷蔵庫は、前記要件に加え、前記建屋内の冷却は、天井パイプによって行うものであることを特徴として成るものである。
この発明によれば、従来は実質的にファンコイル式しか採用することができず、消費電力が多大であったフォークリフトを用いる倉庫型冷蔵庫の消費電力を著しく低減することができる。
そしてこれら各請求項記載の発明の構成を手段として前記課題の解決が図られる。
【発明の効果】
【０００９】
本発明によれば、フォークリフトの出入りにともなう外気の流入及び冷気の流出を排除することにより、天井パイプに対する着霜を防止することができるため、天井パイプ式の倉庫型冷蔵庫に特有であったメンテナンスの煩わしさを排除して実使用に耐え得るものとすることができる。そしてその結果、消費電力を低く抑えることができ、ランニングコストの低減のみならず環境保護にも寄与することができる。
【発明を実施するための最良の形態】
【００１０】
以下本発明の倉庫型冷蔵庫について図示の実施例に基づいて説明するものであるが、この実施例に対して本発明の技術的思想の範囲内で適宜の改変を加えることも可能である。
【実施例】
【００１１】
図中符号１で示すものが本発明の倉庫型冷蔵庫であって、このものは建屋２内に貨物たる箱パレットＰの格納個所となるラック３を具えるとともに、箱パレットＰの入出庫を行うためのフォークリフト５を具えて成るものである。
また建屋２内を冷却するための冷却機構６として天井パイプ式が採用されるものであり、建屋２内と外部との間での箱パレットＰの入出は搬入出部７を通じて行われるものである。
なお本発明の倉庫型冷蔵庫１は、前記冷却機構６の設定温度によって冷蔵庫及び冷凍庫の双方として機能するものである。
【００１２】
以下倉庫型冷蔵庫１を構成する要素について順次説明する。
まず前記建屋２について説明するとこのものは、鋼材を適宜組み合わせるとともに外壁を設け、その内側に断熱材Ｈが貼設されて構成されたものである。因みに建屋２は、要は倉庫型冷蔵庫１内部の雰囲気と外気との遮断がなされればよいので、プレハブ建物、テント等の簡易構造物であってもよい。
そして建屋２内は、図１に示すように貨物の保管部２Ａと荷捌部２Ｂとに区画されるものであり、保管部２Ａにはラック３が配置され、荷捌部２Ｂとラック３間の空間とをフォークリフト５の移動空間とするものである。
【００１３】
また一例として前記荷捌部２Ｂの一角にフォークリフト室２５が形成されるものであり、適宜内壁部に断熱材Ｈを貼設するなどして外部との断熱を図るようにする。なおこのフォークリフト室２５はフォークリフト５のホームポジションとなるとともに、作業者の通路ともなる部屋であり、外側部分に外扉２５ａが形成され、また内側部分に内扉２５ｂが形成される。
更にフォークリフト室２５内にはエアコン２５ｃが設けられ、フォークリフト５や、後述する充電器５７の温度低下を防ぐようにする。
【００１４】
次に前記ラック３について説明すると、このものは一例としてアングル材を適用した柱３１に対して載置板３２を組み合わせて、箱パレットＰの格納空間を棚状に構成して成るものである。なおラック３に格納された箱パレットＰは載置板３２上に位置するため、個々の格納空間に位置する箱パレットＰは任意に随時搬入搬出が可能となるものである。因みに前記載置板３２にはライブローラを設けることもできる。また貨物の種類や建屋２の構造によっては、ラック３を要さずに貨物を平積みするような場合もある。
【００１５】
次に前記フォークリフト５について説明すると、このものは適宜の走行機構を具え、有人または無人運転されるものであり、有人運転される場合にはシート５１に着座した操作者によって運転されるものである。またフォークリフト５の前部には二本のマスト５２が具えられ、このマスト５２に沿ってフォーク５３が昇降するものである。なお前記フォークリフト５の走行及びフォーク５３の昇降は、蓄電池５５をエネルギー源とするものであり、一例として鉛蓄電池が採用されるが、その他適宜の蓄電池を採用し得るものである。ところで、一般的に電池は低温状態の下において電圧降下を引き起こす等、本来の能力を発揮できない状態となってしまうことは避けられず、更に電解液の氷結等によって寿命の短縮を引き起こしたり、甚だしい場合には破損に至ることも考えられるため、このような事態を回避すべく蓄電池５５を防熱箱５６内に配置することにより、倉庫型冷蔵庫１内部の低温雰囲気との断熱を図るようにする。
また前記蓄電池５５の充電は前記フォークリフト室２５内において行われるものであり、このためフォークリフト室２５内は充電器５７が具えられるものである。
【００１６】
次に前記冷却機構６について説明すると、このものは前記保管部２Ａ及び荷捌部２Ｂを冷却するための機構であり、前記ラック３の上方に冷却管たる天井パイプ６０を引き回わし、この天井パイプ６０に、常法に従い適宜圧縮機等から冷媒を循環させるものである。
また前記天井パイプ６０の下方に蓄冷部材を配するようにしてもよく、この場合には炭酸ガス、ブライン等の蓄冷媒体を封入したパイプ等が蓄例部材として用いられる。
【００１７】
次に前記搬入出部７について説明すると、この部位は建屋２内と外部との間での箱パレットＰの搬入出が行われるように構成されるものであり、多重扉構造が採られる。具体的には図３に示すようにコンベヤ７０上に中間室７１が形成され、この中間室７１に対してコンベヤ７０の搬送方向の前後にそれぞれ外シャッター７２、内シャッター７３が具えられるものである。なお詳細は後程説明するが、これら外シャッター７２と内シャッター７３とは、同時に開放状態とならないように規制されるものである。
【００１８】
ここで倉庫型冷蔵庫１内に冷蔵保管される箱パレットＰについて説明する。箱パレットＰは、例えば水揚げ後冷凍された魚介類を収容する容器であり、一例として鋼材を組み合わせて成る方形の容器である。なおこの他に、上面が開閉式のもの、周面が閉塞されたもの等、適宜の材料により適宜の形状とすることが可能である。
【００１９】
本発明の倉庫型冷蔵庫１は、一例として上述のように構成されるものであり、以下このものの使用態様について説明する。
（１）庫内の冷却
まず貨物の収容に先立って倉庫型冷蔵庫１内を冷却するものであり、天井パイプ６０に常法に従い適宜圧縮機等から冷媒を循環させてパイプ周辺の空気を冷却し、ここから下部に配したラック３に対して冷気を供給する。因みにこの実施例では天井パイプ式の冷却構造を採っているため、消費電力はファンコイル式の約半分で済むものである。
【００２０】
（２）フォークリフトの操作
次いで庫内が所望の温度になった時点でフォークリフト５を操作するものであり、作業者は外扉２５ａからフォークリフト室２５に入り、外扉２５ａを閉じた状態で内扉２５ｂを開放し、ここを通じてフォークリフト５を庫内に進入させる。このため荷捌部２Ｂ内および保管部２Ａ内には直接外気が入り込んでしまうことがなく、天井パイプ６０への着霜を回避することができるものである。なお作業者がフォークリフト室２５内に入った後、エアコン２５ｃによって室内空気を充分に除湿した後、内扉２５ｂを開放するようにすれば、天井パイプ６０への着霜をよりいっそう回避することができるものである。
【００２１】
（３）箱パレットの搬入出
次いで箱パレットＰの搬入出が行われるものであり、ここでは搬入操作を例に説明する。まず冷凍魚体等を収納した箱パレットＰを積載した冷凍車Ｔが建屋２の外に横付けしたら、外の作業者がここで箱パレットＰを冷凍車Ｔから下ろすとともに、搬入出部７におけるコンベヤ７０に載せ、中間室７１を経由して荷捌部２Ｂ内に送り込むものである。
このとき搬入出部７にあっては図３に段階的に示すように、外シャッター７２と内シャッター７３とを同時に開かせることなく、箱パレットＰを中間室７１内を通過させるものであり、このため荷捌部２Ｂ内および保管部２Ａ内には直接外気が入り込んでしまうことがなく、天井パイプ６０への着霜を回避することができるものである。
次いで庫内の作業者は、フォークリフト５を運転してコンベヤ７０上の箱パレットＰをフォーク５３に載せ、ラック３における所望の個所にこのものを収容するものである。
なお搬出の場合には上記一連の操作を逆の順序で行うものである。
【００２２】
（４）フォークリフトの格納
そして搬入出作業が終了した時点で、作業者は外扉２５ａを閉じた状態で内扉２５ｂを開放し、ここを通じてフォークリフト５をフォークリフト室２５内に侵入させるものである。このため荷捌部２Ｂ内および保管部２Ａ内には直接外気が入り込んでしまうことがなく、天井パイプ６０への着霜を回避することができるものである。
そして作業者は充電器５７を蓄電池５５に接続し、外扉２５ａから外部に出るものである。
〔他の実施例〕
【００２３】
本発明の倉庫型冷蔵庫１は、上述した実施例を基本となる実施例とするものであるが、以下に示すような形態を採ることもできる。
まず搬入出部７を多重扉構造とする際に、図４に示すようにコンベヤ７０を具えることなく構成することができるものであり、この場合には適宜作業者が台車を用いるなどして箱パレットＰを荷捌部２Ｂまで運搬するようにする。この際、外シャッター７２と内シャッター７３とを同時に開かせることなく、箱パレットＰを中間室７１内を通過させることにより、天井パイプ６０への着霜を回避することができる。
【００２４】
また冷却機構６としてファンコイル式のものを採用することもできるものであり、この場合には、大幅な消費電力の低減は期待できないが、保管部２Ａ及び荷捌部２Ｂへの外気の流入を防ぐことができるため、除霜作業を排除して倉庫型冷蔵庫１を効率的に稼動させることができる。
【図面の簡単な説明】
【００２５】
【図１】本発明の倉庫型冷蔵庫の内部を示す平面図である。
【図２】同上縦断側面図である。
【図３】搬入時の搬入出部の様子を段階的に示す側面図である。
【図４】搬入出部の他の形態を示す側面図である。
【符号の説明】
【００２６】
１        倉庫型冷蔵庫
２        建屋
２Ａ      保管部
２Ｂ      荷捌部
２５      フォークリフト室
２５ａ    外扉
２５ｂ    内扉
２５ｃ    エアコン
３        ラック
３１      柱
３２      載置板
５        フォークリフト
５１      シート
５２      マスト
５３      フォーク
５５      蓄電池
５６      防熱箱
５７      充電器
６        冷却機構
６０      天井パイプ
７        搬入出部
７０      コンベヤ
７１      中間室
７２      外シャッター
７３      内シャッター
Ｈ        断熱材
Ｐ        箱パレット
Ｔ        冷凍車
【図１】
2005187201.tif 000003
【図２】
2005187201.tif 000004
【図３】
2005187201.tif 000005
【図４】
2005187201.tif 000006